(57)【要約】      （修正有）【課題】空間を容易に且つ自由自在に仕切ることができると共に、平面的及び立体的視覚効果を表現することができる額縁の多重フレーム構造を提供する。【解決手段】外部フレーム１０と該外部フレーム１０の内部に設けられる内部フレーム２０を有し、該外部フレーム１０の外周に拡張部材１１が設けられ、また、該内部フレーム２０は、その外周壁の一部が外部フレーム１０の内周壁上に位置すると共に、その内周壁には所定の幅を有している。一例として、前記内部フレーム２０が外部フレーム１０の内周壁に取り付けられ、前記拡張部材１１が、外部フレーム１０から外側に拡張して屏風の一扇を成すように形成されている。【選択図】図１
0003144773.tif 000002
【実用新案登録請求の範囲】
【請求項１】
外周に拡張部材が設けられる外部フレームと、
前記外部フレーム内に位置する内部フレームとを有する額縁の多重フレーム構造。
【請求項２】
前記内部フレームの内部にマットが設けられている、請求項１に記載の額縁の多重フレーム構造。
【請求項３】
前記内部フレームの内部に更に支持部材が係合されている、請求項１に記載の額縁の多重フレーム構造。
【請求項４】
前記内部フレームの周壁における長手方向にそれぞれ、マットを挿入するための複数のスリットが形成されている、請求項２に記載の額縁の多重フレーム構造。
【請求項５】
前記内部フレームの内周壁に長手方向と垂直するように、前記支持部材を係合するための複数の係合溝が形成されている、請求項３に記載の額縁の多重フレーム構造。
【請求項６】
前記外部フレームの後側に補助フレームが設けられている、請求項１に記載の額縁の多重フレーム構造。
【請求項７】
前記拡張部材が屏風に形成されている、請求項１に記載の額縁の多重フレーム構造。
【請求項８】
前記内部フレームの周壁に沿ってそれぞれ、マットを挿入するための複数のスリットが形成されると共に、該内部フレームの内周壁に前記スリットと垂直するように、前記支持部材を係合するための複数の係合溝が形成されている、請求項１に記載の額縁の多重フレーム構造。
【請求項９】
前記外部フレームと内部フレームが夫々四角形に形成されている、請求項１乃至請求項８の何れか一項に記載の額縁の多重フレーム構造。
【請求項１０】
前記外部フレームと内部フレームが夫々三角形に形成されている、請求項１乃至請求項８の何れか一項に記載の額縁の多重フレーム構造。
【考案の詳細な説明】
【技術分野】
【０００１】
本考案は額縁の多重フレーム構造に関し、特に、内部フレームと、屏風などの家具と結合できる外部フレームとを含む額縁の多重フレーム構造に関する。
【背景技術】
【０００２】
一般に、屏風は、空間を仕切るものとして用いられるとともに、その表面には、絵画や浮き彫りなどの平面的な装飾が施されている。
【０００３】
一方、盆栽や骨董品などの置物は、立体的視覚効果を提供することができる。
【考案の開示】
【考案が解決しようとする課題】
【０００４】
しかしながら、このような立体的な置物は、空間を仕切ることができないと共に、屏風などに比べて、大きさがかなり小さいことから、迫力に欠け、人の目を引き付けることができない。一方、屏風は平板状であり、サイズが大きいことから、迫力はあるが、立体的視覚効果を提供することができない。
【０００５】
上述したように、平板状の家具と立体的な置物には夫々利点と欠点があることから、如何にして両者の利点を共に表現するかが課題であった。
【０００６】
そこで、本考案は、家具や置物の利点を共に発揮できると共に、空間を仕切ることができ、更には平面的及び立体的視覚効果を提供することができる額縁の多重フレーム構造を提供することを目的とする。
【課題を解決するための手段】
【０００７】
本考案は、外周に拡張部材が設けられる外部フレームと、前記外部フレーム内に位置する内部フレームとを有する額縁の多重フレーム構造を提供する。
【０００８】
前記内部フレームの内部に更にマットが設けられている。
【０００９】
前記内部フレームの内部に更に支持部材が係合されている。
【００１０】
前記内部フレームの周壁における長手方向にそれぞれ、マットを挿入するための複数のスリットが形成されている。
【００１１】
前記内部フレームの内周壁に長手方向と垂直するように、前記支持部材を係合するための複数の係合溝が形成されている。
【００１２】
前記外部フレームの後側に補助フレームが設けられている。
【００１３】
前記拡張部材は屏風に取り付けられている。
【００１４】
前記内部フレームの周壁における長手方向にそれぞれ、マットを挿入するための複数のスリットが形成されると共に、該内部フレームの内周壁に長手方向と垂直するように、前記支持部材を係合するための複数の係合溝が形成されている。
【００１５】
前記外部フレームと内部フレームは夫々四角形に形成されている。
【００１６】
前記外部フレームと内部フレームは夫々三角形に形成されている。
【考案の効果】
【００１７】
本考案によれば、拡張部材が屏風などの平板状の家具を成すように形成されると共に、内部フレームに、例えば盆栽や骨董品などの立体的な置物を設置することにより、拡張部材が平面的視覚効果を表現しつつ空間を仕切ることができ、更には該内部フレームに設置される立体的な置物により立体的視覚効果を表現することができる。
【考案を実施するための最良の形態】
【００１８】
図１乃至図３に示すように、本考案に係る額縁の多重フレーム構造の第１実施例は、外部フレーム１０と該外部フレーム１０の内部に設けられる内部フレーム２０を有し、該外部フレーム１０の外周に拡張部材１１が設けられ、また、該内部フレーム２０は、その外周壁の一部が外部フレーム１０の内周壁上に位置すると共に、その内周壁には所定の幅を有している。尚、本実施例においては、前記内部フレーム２０が外部フレーム１０の内周壁に取り付けられ、前記拡張部材１１が、外部フレーム１０から外側に拡張して屏風の一扇を成すように形成されている。
【００１９】
本考案を実際に使用するときは、前記外部フレーム１０と内部フレーム２０とを互いに結合させる。即ち、前記内部フレーム２０は、着脱可能に外部フレーム１０の内部に取り付けられているので、該外部フレーム１０と内部フレーム２０とを容易に交換でき、さらに前記内部フレーム２０と外部フレーム１０との組み合わせ方により、多様な視覚効果を表現することができる。
【００２０】
また、前記外部フレーム１０と内部フレーム２０は夫々、四角形を呈していると共に、互いの構造により、密接状態にあり、該内部フレーム２０の外周壁と外部フレーム１０の内周壁とは、それらの間に生じる静止摩擦力により、該内部フレーム２０と外部フレーム１０との相対位置を維持している。
【００２１】
前記外部フレーム１０から内部フレーム２０を取り外して新しいものと交換する場合は、先ず前記静止摩擦力を上回る力を与え、該外部フレーム１０から内部フレーム２０を取り外し、その後、交換したい新しい内部フレーム２０を外部フレーム１０の内部に挿入し、該新しい内部フレーム２０の外周壁と外部フレーム１０の内周壁とを、それらの間に静止摩擦力が生じる程度に密接させればよい。
【００２２】
さらに、用途を拡げるために、前記内部フレーム２０の内周壁に支持部材３０を固設してもよく、これにより、様々な置物と組み合わせて多彩な立体的視覚効果を提供することができると共に、該支持部材３０は平板状であるため、その両端を夫々内部フレーム２０の内周壁に設置することにより、その中央部に立体的な置物を載せることもできる。また、前記支持部材３０に前記立体的な置物を固定するための穴（符号なし）を設けてもよい。尚、前記支持部材３０を内部フレーム２０の内周壁に設置する方法としては、例えば、該内部フレーム２０の内周壁に、係合溝２１等を形成させることが好ましい。また、使用者が自由に前記支持部材３０を内部フレーム２０内の任意の位置に設置できるように、該内部フレーム２０の内周壁に複数の係合溝２１を並列状に形成させることがさらに好ましい。
【００２３】
また、前記立体的な置物は、所定の幅を有している内部フレーム２０の内周壁の下面に配置することができ、更には該内部フレーム２０の内周壁の下面及び支持部材３０上に夫々置物を配置することによって、より立体的視覚効果を醸し出すことができる。
【００２４】
図４に示すように、本考案においては、内部フレーム２０の内部に更に、模様や図形などを有するプレート体であるマット４０を、内部フレーム２０のスリット２２に挿設することにより、視覚効果をより向上させてもよい。
【００２５】
図５に示すように、本考案の第２実施例においては、外部フレーム１０と内部フレーム２０とが夫々、前後方向に同様の開口を有すると共に、該外部フレーム１０の後側に補助フレーム１６が設置されている。この構成によれば、前側と後側が同様の形状を呈するが、本考案の前側と後側を異なる形状としてもよい。さらに、より色彩効果や装飾効果を高めたい時には、両面印刷のマット４０を用いることが好ましい。
【００２６】
図６に示すように、本考案の第３実施例は、前記第１実施例と類似するものであるが、前記第１実施例よりも構造が単純化されている点で異なっている。即ち、第３実施例では、外部フレーム１０Ｂが内部フレーム２０を固定するといった主要機能に着目して設計されたものであり、単純化された外部フレーム１０Ｂを用いることによって、該内部フレーム２０の内部における視覚効果がより引き立つので、該内部フレーム２０の内部に設置された例えば、前記支持部材３０またはマット４０による視覚効果をより強調することができる。
【００２７】
図７に示すように、本考案の第４実施例は、外部フレーム１０Ｃの拡張部材１１Ｃが屏風の形状を成すように形成されていることを特徴とし、該拡張部材１１Ｃにより形成された屏風は、一扇でもよいが、空間を仕切る機能と、より迫力のある視覚効果を提供するために、複数の拡張部材１１Ｃを結合して、一畳の屏風とすることがさらに好ましい。
【００２８】
図８に示すように、本考案は、支持部材３０やマット４０、補助フレーム１６により視覚効果を提供するほかに、さらに四角形に形成された外部フレーム１０と内部フレーム２０を、異なる形状に形成させることによって、より優れた立体的視覚効果を表現することもできる。例えば、本考案の第５実施例に示すように、夫々三角形に形成される外部フレーム１０Ｄと内部フレーム２０Ｄとを組み合わせて使用することにより、一味違った立体的視覚効果を提供することができる。故に、立体的視覚効果を提供することを主な目的とし、空間を仕切る機能は付加的なものとなっている。即ち、前記外部フレーム１０Ｄから拡がる拡張部材１１Ｄは一定の空間を仕切れる程度の面積に抑えられる。さらに、前記拡張部材１１Ｄは、本考案の額縁の多重フレーム構造を安定して立たせられるような構造に形成されることがより好ましく、この構成によれば、前記外部フレーム１０Ｄと、内部フレーム２０Ｄと、拡張部材１１Ｄと、該内部フレーム２０Ｄに配置される立体的な置物と、略鳥居形のマット４０Ｄとを融合させることができるので、和風の雰囲気を醸し出すことができる。
【産業上の利用可能性】
【００２９】
本考案は上記の構成を有しているので、空間を容易に且つ自由自在に仕切ることができると共に、平面的及び立体的視覚効果を表現することができる。
【図面の簡単な説明】
【００３０】
【図１】本考案に係る額縁の多重フレーム構造の第１実施例を示す斜視図。
【図２】本考案に係る額縁の多重フレーム構造の第１実施例を示す部分斜視図。
【図３】本考案に係る額縁の多重フレーム構造の第１実施例を示す部分分解斜視図。
【図４】本考案に係る額縁の多重フレーム構造の第１実施例を示す部分側面断面図。
【図５】本考案に係る額縁の多重フレーム構造の第２実施例を示す部分側面斜視図。
【図６】本考案に係る額縁の多重フレーム構造の第３実施例を示す部分側面断面図。
【図７】本考案に係る額縁の多重フレーム構造の第４実施例を示す斜視図。
【図８】本考案に係る額縁の多重フレーム構造の第５実施例を示す斜視図。
【符号の説明】
【００３１】
１０            外部フレーム
１０Ｂ            外部フレーム
１０Ｃ            外部フレーム
１０Ｄ            外部フレーム
１１            拡張部材
１１Ｃ            拡張部材
１１Ｄ            拡張部材
１６            補助フレーム
２０            内部フレーム
２０Ｄ            内部フレーム
２１            係合溝
２２            スリット
３０            支持部材
４０            マット
４０Ｄ            マット
【図１】
0003144773.tif 000003
【図２】
0003144773.tif 000004
【図３】
0003144773.tif 000005
【図４】
0003144773.tif 000006
【図５】
0003144773.tif 000007
【図６】
0003144773.tif 000008
【図７】
0003144773.tif 000009
【図８】
0003144773.tif 000010